(57)【要約】【課題】シリーズ番組の順番と、実際に視聴者が視聴する順番と、シリーズ番組に関連する配信番組の順番との関係に不整合が生じないように、配信番組の通知を制御できる放送受信装置、シリーズ番組の配信通知方法を提供する。【解決手段】シリーズ番組と同一のコンテンツ群のＶＯＤ配信予定を取得して、シリーズ番組が放送される日時とＶＯＤ配信の関係から、放送よりも先行して配信される先行配信番組の情報を取得する。そして、視聴者がシリーズ番組をどこまで視聴したかの視聴履歴を保持しておき、その情報に基づいて先行配信番組の通知を制御する。ある先行配信番組の話数よりも前の話数に未視聴番組がない場合に、その先行配信番組の存在を視聴者に通知する。【選択図】図５
2010056595.tif 000002
【特許請求の範囲】
【請求項１】
放送信号を介して放送される番組を受信する受信手段と、
シリーズ番組の視聴履歴を管理する視聴履歴管理手段と、
ネットワークを介して配信されるシリーズ番組の配信情報を取得する配信情報取得手段と、
ネットワークを介してシリーズ番組が配信されることを視聴者に通知する配信通知手段と、
前記視聴履歴と前記配信情報とを参照して、前記配信通知手段による通知を行うか否かを判定する配信通知要否判定手段と、
を備える放送受信装置。
【請求項２】
放送信号を介して放送されるシリーズ番組の放送スケジュールを取得する放送スケジュール取得手段を備え、
前記配信通知要否判定手段は、さらに前記放送スケジュールを参照して、放送済みのシリーズ番組に未視聴のシリーズ番組が無いときには、視聴したシリーズ番組の最新の回の次の回に相当するシリーズ番組が配信されることを視聴者に通知すると判定し、放送済みのシリーズ番組に未視聴のシリーズ番組が有るときにはシリーズ番組が配信されることを視聴者に通知しないと判定すること、
を特徴とする請求項１に記載の放送受信装置。
【請求項３】
前記配信通知要否判定手段が通知をしないと判定したときに、前記配信情報取得手段が取得した前記配信情報を記憶する配信情報記憶手段を備え、
前記配信通知要否判定手段は、視聴者が未視聴のシリーズ番組を視聴する度に、前記配信通知手段による通知を行うか否かを判定し、
前記配信通知手段は、前記配信通知要否判定手段が通知を行うと判定した場合には、前記配信情報記憶手段が記憶する前記配信情報を視聴者に通知すること、
を特徴とする請求項２に記載の放送受信装置。
【請求項４】
放送される番組がシリーズ番組であるか否かを判定するシリーズ番組判定手段を備え、
前記配信通知手段要否判定手段は、前記シリーズ番組判定手段がシリーズ番組であると判定したシリーズ番組について、前記配信通知手段による通知を行うか否かを判定し、前記シリーズ番組判定手段がシリーズ番組でないと判定した番組については、前記配信通知手段による通知を行うか否かの判定を行わないこと、
を特徴とする請求項１から請求項３までのいずれか１項に記載の放送受信装置。
【請求項５】
前記配信情報取得手段は、ネットワークを介してシリーズ番組を配信する配信元に対して特定のシリーズ番組の配信情報を問い合わせて取得すること、
を特徴とする請求項１から請求項４までのいずれか１項に記載の放送受信装置。
【請求項６】
前記配信情報取得手段は、ネットワークを介してシリーズ番組を配信する配信元から通知される配信情報から特定のシリーズ番組の配信情報を抽出すること、
を特徴とする請求項１から請求項４までのいずれか１項に記載の放送受信装置。
【請求項７】
放送信号を介して放送される番組を録画する録画手段と、
前記録画手段により録画された番組を再生して視聴した履歴を記憶する録画番組視聴履歴記憶手段と、
を備え、
前記視聴履歴管理手段は、前記録画番組視聴履歴記憶手段が記憶する履歴を用いてシリーズ番組の視聴履歴を管理すること、
を特徴とする請求項１から請求項６までのいずれか１項に記載の放送受信装置。
【請求項８】
前記受信手段が受信する番組を放送中にリアルタイムで視聴した履歴を記憶する放送視聴履歴記憶手段を備え、
前記視聴履歴管理手段は、前記放送視聴履歴記憶手段が記憶する履歴を用いてシリーズ番組の視聴履歴を管理すること、
を特徴とする請求項１から請求項７までのいずれか１項に記載の放送受信装置。
【請求項９】
ネットワークを介して配信される番組を視聴した履歴を記憶する配信視聴履歴記憶手段を備え、
前記視聴履歴管理手段は、前記配信視聴履歴記憶手段が記憶する履歴を用いてシリーズ番組の視聴履歴を管理すること、
を特徴とする請求項１から請求項８までのいずれか１項に記載の放送受信装置。
【請求項１０】
前記配信情報取得手段は、シリーズ番組の放送に先行して配信されるシリーズ番組の先行配信に関する配信情報を取得し、
前記配信通知手段は、前記先行配信が行われることを視聴者に通知すること、
を特徴とする請求項１から請求項９までのいずれか１項に記載の放送受信装置。
【請求項１１】
シリーズ番組の視聴履歴を管理する視聴履歴管理工程と、
放送信号を介して放送されるシリーズ番組の放送スケジュールを取得する放送スケジュール取得工程と、
ネットワークを介して配信されるシリーズ番組の配信情報を取得する配信情報取得工程と、
ネットワークを介してシリーズ番組が配信されることを視聴者に通知する配信通知工程と、
前記視聴履歴と前記配信情報とを参照して、前記配信通知工程による通知を行うか否かを判定する配信通知要否判定工程と、
を備えるシリーズ番組の配信通知方法。
【請求項１２】
放送信号を介して放送されるシリーズ番組の放送スケジュールを取得する放送スケジュール取得工程を備え、
前記配信通知要否判定工程は、さらに前記放送スケジュールを参照して、放送済みのシリーズ番組に未視聴のシリーズ番組が無いときには、視聴したシリーズ番組の最新の回の次の回に相当するシリーズ番組が配信されることを視聴者に通知すると判定し、放送済みのシリーズ番組に未視聴のシリーズ番組が有るときにはシリーズ番組が配信されることを視聴者に通知しないと判定すること、
を特徴とする請求項１１に記載のシリーズ番組の配信通知方法。
【発明の詳細な説明】
【技術分野】
【０００１】
本発明は、放送される番組を受信する他、シリーズ番組が配信されることを視聴者に通知することができる放送受信装置、シリーズ番組の配信通知方法に関するものである。
【背景技術】
【０００２】
近年、デジタル放送が開始され、ＥＰＧ（Ｅｌｅｃｔｒｏｎｉｃ  Ｐｒｏｇｒａｍ  Ｇｕｉｄｅ：電子番組表）を利用して、簡単に放送番組を録画予約できるようになった。また、ドラマやアニメなどの連続したシリーズ番組をシリーズ予約することによって、毎回自動的に録画できるようになった。さらに、大容量ＨＤＤ（ハードディスクドライブ）を搭載したレコーダや録画機能を搭載したデジタルテレビの普及に伴い、放送番組を録画して後で視聴する機会が増えている。
【０００３】
このような近年の録画機器では、容易に録画を行えることから、大量の番組が未視聴のまま蓄積される傾向にある。視聴者は、大量に蓄積された番組を選択的に再生して視聴する。しかし、連続したシリーズ番組を複数録画した場合、視聴者は、いずれの番組が視聴済みであり、いずれの番組が未視聴であるのか、識別することが困難になるおそれがあった。この場合、既に視聴済みの回のシリーズ番組を視聴したり、未視聴の番組を視聴せずにさらに後の回のシリーズ番組を視聴したりすることがあった。このように、従来は、シリーズ番組の順番と実際に視聴者が視聴する順番とが異なることがあった。
【０００４】
そこで、未視聴番組がないか検出し、検出したら通知する技術が、特許文献１や特許文献２等に記載されている。また、放送番組のシリーズや話数を特定する情報の運用に関して、非特許文献１に記載されている。
【０００５】
また、一部のデジタルテレビにはネットワーク端子が備わっており、ＶＯＤ（Ｖｉｄｅｏ  Ｏｎ  Ｄｅｍａｎｄ）に対応したデジタルテレビもある。ＶＯＤとは、視聴者が視聴したいときに視聴したい番組をインターネット回線を使って視聴できるサービスである。
【０００６】
さらに、最近では、コンピュータや携帯電話等のインターネット接続を利用して発売前の音楽やゲームソフトを先行配信するサービスや、番組の放送よりも先にインターネットのストリーミングサイトで番組を先行配信するサービスが増えつつある。そして今後デジタルテレビにおいても、地上波で放送される番組よりも時間的に先行した番組を配信する先行配信サービスが普及してくると想定される。先行配信サービスによって、例えば、毎週放送されているドラマよりも先行して同内容のドラマを視聴することができる。
【０００７】
しかし、インターネット等を介して配信される番組には、番組表がないため、いつ・何時から提供が開始されるかわからない。よって、先行配信番組の視聴を希望する視聴者のために、先行配信番組が視聴可能になったら視聴者に通知することが望ましい。
【特許文献１】特開２００３−３１９３０８号広報
【特許文献２】特開２００５−３４８１５３号広報
【非特許文献１】社団法人  電波産業会  標準規格  「デジタル放送に使用する番組配列情報」  ＡＲＩＢ  ＳＴＤ−Ｂ１０  ４．１版
【発明の開示】
【発明が解決しようとする課題】
【０００８】
シリーズ番組の先行配信番組が視聴可能になったことを視聴者に通知するときには、以下のような問題がある。
いままでに放送されたシリーズ番組の中でまだ視聴していない番組がある場合、未視聴番組の次の回に該当する先行配信番組を通知されても視聴者は先行配信番組を視聴しない可能性が高い。なぜならば、通常、視聴者はドラマやアニメのようなシリーズ番組をシリーズの順番通り視聴するからである。
また、先行配信番組の通知をした後に未視聴の番組を視聴し終わったとしても、視聴者はすでに先行配信番組の存在を忘れているかもしれない。
さらに、放送されたシリーズ番組に未視聴の番組があることを視聴者がすっかり忘れてしまい、未視聴の番組よりも後の回に該当する先行配信番組を間違って再生してしまった場合には、番組の面白さが失われてしまう。
このように、シリーズ番組の順番と、実際に視聴者が視聴する順番と、先行配信番組の通知の順番との関係で、不整合が生じることがある。
【０００９】
図１７は、視聴者があるシリーズ番組を録画、視聴したときの時間の流れを示した図である。
以下、図１７を用いて、シリーズ番組の順番と、実際に視聴者が視聴する順番と、先行配信番組の通知の順番との関係で生じる不整合について具体的に説明する。図１７では、図中左側から右側へと時間が経過する。
例えば、先ず、視聴者があるシリーズ番組のドラマの５話を放送で視聴したとする（Ｔ２０１）。
ドラマ５話を視聴した後に、先行配信番組７話の提供が開始される（Ｔ２０２）。
先行配信番組７話の提供が開始されたので、先行配信番組７話の存在を視聴者に通知する。しかし、ドラマの５話までしか視聴しておらず６話が未視聴なため、視聴者は先行配信番組７話を通知されても先行配信番組７話を視聴しない（Ｔ２０３）。
しばらくして、ドラマ６話が放送されたので視聴者はドラマ６話を録画したとする。しかし、視聴者は録画だけして視聴はしない（Ｔ２０４）。
数日後に、先行配信番組８話の提供が開始される（Ｔ２０５）。
先行配信番組８話の提供が開始されたので、先行配信番組８話の存在を視聴者に通知する。しかし、視聴者はいまだにドラマの５話までしか視聴しておらず６話が未視聴なため、先行配信番組８話を通知されても視聴者は先行配信番組を視聴しない（Ｔ２０６）。
その後、視聴者が録画していたドラマ６話を視聴した。ドラマ６話を見終わったときに、すでに先行配信番組７話が提供され視聴者はドラマ６話の次の話である７話を視聴できる。しかし、ドラマ６話の視聴が終わったときには、視聴者はすでに先行配信番組７話の存在を忘れている可能性がある（Ｔ２０７）。
以上の例では、結果として、（Ｔ２０３）、（Ｔ２０６）で通知した先行配信番組７話、８話の通知は、視聴者にとってメリットのない通知となってしまう。
【００１０】
本発明の課題は、シリーズ番組の順番と、実際に視聴者が視聴する順番と、シリーズ番組に関連する配信番組の順番との関係に不整合が生じないように、配信番組の通知を制御できる放送受信装置、シリーズ番組の配信通知方法を提供することである。
【課題を解決するための手段】
【００１１】
本発明の第１の側面としての放送受信装置は、放送信号を介して放送される番組を受信する受信手段と、シリーズ番組の視聴履歴を管理する視聴履歴管理手段と、ネットワークを介して配信されるシリーズ番組の配信情報を取得する配信情報取得手段と、ネットワークを介してシリーズ番組が配信されることを視聴者に通知する配信通知手段と、前記視聴履歴と前記配信情報とを参照して、前記配信通知手段による通知を行うか否かを判定する配信通知要否判定手段とを備える。
【００１２】
本発明の第２の側面としてのシリーズ番組の配信通知方法は、シリーズ番組の視聴履歴を管理する視聴履歴管理工程と、放送信号を介して放送されるシリーズ番組の放送スケジュールを取得する放送スケジュール取得工程と、ネットワークを介して配信されるシリーズ番組の配信情報を取得する配信情報取得工程と、ネットワークを介してシリーズ番組が配信されることを視聴者に通知する配信通知工程と、前記視聴履歴と前記配信情報とを参照して、前記配信通知工程による通知を行うか否かを判定する配信通知要否判定工程とを備える。
【発明の効果】
【００１３】
本発明によれば、シリーズ番組を視聴すべき順番と、実際に視聴者が視聴する順番と、配信番組の通知の順番との関係に不整合が生じない。よって、視聴者は、配信番組を視聴したいタイミングで配信番組の存在を知ることができる。
【発明を実施するための最良の形態】
【００１４】
以下、本発明を実施するための最良の形態について図面等を参照して説明する。
以下の説明では、具体的な数値、構成、動作等を示して説明を行うが、これらは、適宜変更することができる。
【００１５】
（第１実施形態）
第１実施形態の先行配信システムは、録画したシリーズ番組の視聴履歴とシリーズ番組の放送スケジュールに基づいて先行配信の通知要否判定をして、先行配信番組を視聴者に通知する形態である。
なお、以下の説明において、シリーズ番組をドラマの例を挙げて１話、２話、３話と示すが、シリーズ番組とは、ドラマのように話が継続するものに限るものではない。たとえば、ドキュメンタリー番組等で複数の回に分けて放送される番組であってもよい。この場合は、例えば、１回、２回、３回として、同じテーマの放送が行われる。
図１は、本発明による放送受信装置を用いた先行配信システムの第１実施形態を示す図である。
本実施形態の先行配信システムは、デジタル放送受信装置１００と、放送システム１０００と、ＶＯＤサーバ１２００とを有している。
【００１６】
放送システム１０００は、例えば放送局に設置されたデジタル放送機器からなる公衆放送用のシステムであり、各種番組をデジタル放送する。
【００１７】
ＶＯＤサーバ１２００は、放送システム１０００が放送する番組等のコンテンツを蓄積するとともに、そのコンテンツの配信元となるサーバであり、インターネットに接続されている。本実施形態では、放送システム１０００が放送する番組を、その放送が行われるより先に当該番組を蓄積して、配信可能な状態とする。なお、図１では、ＶＯＤサーバ１２００は、放送システム１０００を備える放送局に設置されていてもよいし、放送システム１０００と一部を共有する統合的なシステムとして構築してもよい。
【００１８】
デジタル放送受信装置１００は、例えば、一般の視聴者が所有するテレビ受像機やビデオレコーダ等の装置であり、複数がインターネットに接続されている。本実施形態では、デジタル放送受信装置１００は、放送システム１０００が放送するデジタル放送を受信して録画する録画機能を備えている。
【００１９】
図２は、本発明の第１実施形態におけるデジタル放送受信装置１００の概略構成を示すブロック図である。
第１実施形態のデジタル放送受信装置１００は、チューナ１１１、復調処理部１１２、デコード処理部１１３、表示装置制御部１１４、ディスプレイ１１５、グラフィックス処理部１１６、放送スケジュール管理部１１７、録画制御部１２１、録画記録部１２２、再生制御部１２３、ネットワーク通信制御部１３１、ストリーミング制御部１３２、ＶＯＤ再生制御部１３３、先行配信通知処理部１３４、先行配信検出部１３５、先行配信制御部１３６、先行配信設定部１３７、シリーズ番組判定部１３８、先行配信通知要否判定部１３９、先行配信情報記憶部１４０、視聴者視聴履歴管理部１５１、録画番組視聴履歴記憶部１５２を備えている。
【００２０】
チューナ１１１は、不図示のアンテナを介して受信したデジタル放送信号を復調処理部１１２に出力する。
復調処理部１１２は、チューナ１１１から得たデータをデコード処理部１１３、放送スケジュール管理部１１７、録画制御部１２１へ伝達する。
本実施形態では、チューナ１１１及び復調処理部１１２により、番組を受信する受信手段を形成している。
【００２１】
デコード処理部１１３は、復調処理部１１２、再生制御部１２３、ストリーミング制御部１３２から送られた映像データをデコードし、表示装置制御部１１４に出力する。
表示装置制御部１１４は、デコード処理部１１３及びグラフィックス処理部１１６から送られる映像データをディスプレイ１１５に表示する表示用のデータとしてディスプレイ１１５に送る。
【００２２】
ディスプレイ１１５は、表示装置制御部１１４から送られた表示用データを表示する。なお、本実施形態では、ディスプレイ１１５は、デジタル放送受信装置１００に含まれる形態として説明するが、ディスプレイ１１５をデジタル放送受信装置１００とは独立した装置として設けてもよい。
【００２３】
グラフィックス処理部１１６は、各種の情報表示用の文字及びグラフィックスを生成し、ディスプレイ１１５に送る。本実施形態のグラフィックス処理部１１６は、不図示の中央制御部及び先行配信通知処理部１３４からの指示にしたがい、グラフィックス処理を行う。
【００２４】
放送スケジュール管理部１１７は、復調処理部１１２から出力されたＴＳデータ（後述）から放送スケジュールを取得する放送スケジュール取得手段である。また、放送スケジュール管理部１１７は、この放送スケジュールに基づいて、シリーズ番組が現在何話（何回）まで放送されているかの放送履歴情報も管理し、この情報を先行配信通知要否判定部１３９へ伝える。
【００２５】
録画制御部１２１は、録画する放送番組のＴＳデータを復調処理部１１２から取得して、録画記憶部１２２に記録する。また、後述するように録画制御部１２１は、シリーズ番組を録画するときに先行配信番組を通知するシリーズ番組のシリーズ値（後述）を先行配信設定部１３７に記憶する。
【００２６】
録画記録部１２２は、例えば、ハードディスクドライブやＤＶＤ（Ｄｉｇｉｔａｌ Ｖｅｒｓａｔｉｌｅ Ｄｉｓｃ）ドライブ等の録画手段である。
再生制御部１２３は、録画記憶部１２２から再生するＴＳデータを取り出し、デコード処理部１１３に出力する。また、再生制御部１２３は、再生を行った番組、すなわち視聴した番組を特定する情報を録画番組視聴履歴記憶部１５２へ記録する。
【００２７】
ネットワーク通信制御部１３１は、インターネットを介してＶＯＤサーバ１２００と通信を行う。ネットワーク通信制御部１３１は、例えば、Ｅｔｈｅｒｎｅｔ（登録商標）に基づいた制御を行い、インターネットに接続されている。
ストリーミング制御部１３２は、ストリーミングバッファの状態を監視しながら、ネットワーク通信制御部１３１から取得する映像データの受信速度を調整する。
【００２８】
ＶＯＤ再生制御部１３３は、先行配信通知処理部１３４からの再生命令にしたがい、先行配信番組の再生を行うようにストリーミング制御部１３２を制御する。
先行配信通知処理部１３４は、先行配信通知要否判定部１３９の判定結果に応じて先行配信番組の存在を視聴者に通知する処理を行う配信通知手段である。
【００２９】
先行配信検出部１３５は、先行配信制御部１３６からの情報にしたがいＶＯＤサーバ１２００上に所望する先行配信番組が配信可能な状態で提供されているか否かを検出するとともに、その先行配信の配信情報（先行配信情報）を取得する配信情報取得手段である。
先行配信制御部１３６は、先行配信設定部１３７及びシリーズ番組判定部１３８から得た情報に基づいて、必要とする先行配信番組を先行配信検出部１３５に伝える。
【００３０】
先行配信設定部１３７は、録画制御部１２１が録画するシリーズ番組のシリーズ値を記憶し、先行配信番組を通知するシリーズ番組として設定する。
シリーズ番組判定部１３８は、録画記憶部１２２に録画されている番組がシリーズ番組であるか否かを判定するシリーズ番組判定手段である。シリーズ番組判定部１３８は、録画番組がシリーズ番組であると判定すると、その録画番組のシリーズ値とシナリオ値（後述）を先行配信制御部１３６に出力する。
【００３１】
先行配信通知要否判定部１３９は、放送スケジュール管理部１１７、先行配信制御部１３６、視聴履歴管理部１５１からの情報を参照して視聴者に先行配信がされることを通知する必要があるか否かを判定する配信通知要否判定手段である。
先行配信情報記憶部１４０は、先行配信通知要否判定部１３９が通知を必要としないと判断した先行配信に関する情報を記憶する配信情報記憶手段である。
【００３２】
視聴者視聴履歴管理部１５１は、録画番組視聴履歴記憶部１５２に記憶された情報に基づいて視聴者がいずれの番組の何話を視聴済みであるか否か（視聴履歴）を管理する視聴履歴管理手段である。
録画番組視聴履歴記憶部１５２は、再生した（すなわち視聴した）録画番組の履歴を記憶する録画番組視聴履歴記憶手段である。
なお、本実施形態では、視聴者視聴履歴管理部１５１は、録画番組視聴履歴記憶部１５２に記憶された情報に基づいて視聴履歴を管理するので、視聴者視聴履歴管理部１５１と録画番組視聴履歴記憶部１５２とを１つにまとめてもよい。
【００３３】
以上の構成を有したデジタル放送受信装置１００は、デジタル放送受信機能、デジタル放送録画機能、ＶＯＤ再生機能、そして先行配信通知機能を備える。
以下、それぞれの機能毎に説明する。
【００３４】
（１）デジタル放送受信機能
まず、デジタル放送受信装置１００が備えるデジタル放送受信機能について説明する。
選局した放送番組をディスプレイ１１５に表示するために、復調処理部１１２は、チューナ１１１の出力信号を復調し、誤り訂正等の処理をして、トランスポートストリームと呼ばれるデジタルデータであるＴＳデータを生成する。ＴＳデータには、複数チャネル分の映像データが時分割多重されている。ＴＳデータを生成した後、復調処理部１１２は、時分割多重されているＴＳデータから選局されているチャネルの映像データを取り出しデコード処理部１１３に出力する。デコード処理部１１３は、映像データをデコードし、表示装置制御部１１４に出力することでディスプレイ１１５に選局した放送番組の映像が表示される。
【００３５】
ＴＳデータには、シリーズ記述子（Ｓｅｒｉｅｓ  ｄｅｓｃｒｉｐｔｏｒ）という情報が含まれており、シリーズ番組を特定するシリーズ識別子（ｓｅｒｉｅｓ＿ｉｄ）やシリーズ番組における話数を特定するエピソード番号（ｅｐｉｓｏｄｅ＿ｎｕｍｂｅｒ）が記述されている。本実施形態における説明では、シリーズを特定できる情報をシリーズ値、そのシリーズの話数を特定できる情報をシナリオ値と定義して説明する。
【００３６】
（２）デジタル放送録画機能
以下、デジタル放送受信装置１００が備えるデジタル放送録画機能について説明する。
デジタル放送録画機能とは、ＴＳデータを、録画記憶部１２２に記録しておくことで、何時でも録画した放送番組を視聴できるという機能である。放送番組を録画するには、録画制御部１２１が、録画する放送番組のＴＳデータを復調処理部１１２から取得して、録画記憶部１２２に記録する。
また、録画した番組を再生するには、再生制御部１２３が録画記憶部１２２から所望のＴＳデータを取り出し、デコード処理部１１３に出力する。この処理によりディスプレイ１１５に録画した番組の映像が表示される。
【００３７】
（３）ＶＯＤ再生機能
以下、デジタル放送受信装置１００が備えるＶＯＤ再生機能について説明する。
ＶＯＤ再生機能とは、デジタル放送受信装置１００がインターネット上のＶＯＤサーバ１２００から映像データをストリーミング受信することによりＶＯＤコンテンツを再生する機能である。ＶＯＤコンテンツを再生するには、ＶＯＤ再生制御部１３３が、ストリーミング制御部１３２、及びネットワーク通信制御部１３１を介してインターネット上のＶＯＤサーバ１２００から所望の映像データを取得する。ストリーミング制御部１３２は、ストリーミングバッファの状態を監視しながら、ネットワーク通信制御部１３１から取得する映像データの受信速度を調整する。受信した映像データを、ストリーミング制御部１３２が逐次デコード処理部１１３に出力することで、ディスプレイ１１５にＶＯＤコンテンツの映像が表示される。
【００３８】
（４）先行配信通知機能
以下、デジタル放送受信装置１００が備える先行配信番組の通知機能について説明する。
先行配信番組の通知機能とは、番組の放送に先立って配信される番組が有ることを視聴者に通知する機能である。先行配信番組の通知機能では、どのシリーズ番組の先行配信番組を通知するかを設定しておく。また、先行配信通知要否判定部１３９が、シリーズ番組の先行配信情報、放送スケジュール、録画されているシリーズ番組の情報とその視聴履歴を取得する。そして、取得した情報に基づいて先行配信番組の通知要否判定をして、通知すると判定した場合に、先行配信通知処理部１３４が先行配信番組の存在を視聴者に通知する。先行配信通知機能のそれぞれの処理について、以下に説明する。
【００３９】
(４−１)先行配信通知の設定
第１実施形態では、シリーズ番組を録画しようとしたときに、そのシリーズ番組の先行配信番組を通知する設定となっている。シリーズ番組を録画するときに録画制御部１２１は、先行配信番組を通知するシリーズ番組のシリーズ値を先行配信設定部１３７に記憶する。つまり、先行配信設定部１３７に設定されたシリーズ値が先行配信番組を通知するシリーズ番組となる。
【００４０】
(４−２)先行配信情報の取得
次に、先行配信通知要否判定部１３９が、シリーズ番組の先行配信情報をＶＯＤサーバ１２００から取得する処理について説明する。まず、先行配信制御部１３６は、先行配信設定部１３７から、通知すべき先行配信番組のシリーズ値を取得して、先行配信検出部１３５に出力する。先行配信検出部１３５は、先行配信制御部１３６から渡されたシリーズ値と、シリーズ番組の話数のシナリオ値に基づいて、先行配信番組が提供されているか、ネットワーク通信制御部１３１を介してインターネット上のＶＯＤサーバ１２００に問い合わせる。例えば、シリーズ番組の５話の次の話に相当する先行配信番組６話を検索する場合、先行配信検出部１３５は、シリーズ番組のシリーズ値と５話のシナリオ値に基づいて、先行配信番組６話がないかＶＯＤサーバ１２００に問い合わせる。先行配信番組が配信可能な状態で提供されているなら、先行配信検出部１３５は先行配信番組の情報をＶＯＤサーバ１２００から取得する。このように先行配信通知要否判定部１３９は、ＶＯＤサーバ１２００から取得した先行配信番組の情報を、先行配信制御部１３６を介して先行配信検出部１３５から取得する。
【００４１】
（４−３）放送スケジュールの取得
次に、先行配信通知要否判定部１３９が放送スケジュールを取得する処理について説明する。放送スケジュールとは、ある番組がどのチャネルでいつ何時から何時まで放送されるかといった情報や、番組のタイトル名、番組の詳細内容、シリーズ番組なら話数（回数）といった番組の情報のことである。放送スケジュールを管理しているのは放送スケジュール管理部１１７であり、放送スケジュール管理部１１７は、復調処理部１１２が生成したＴＳデータから放送スケジュールを取得する。また、放送スケジュール管理部１１７は、この放送スケジュールに基づいて、シリーズ番組が現在何話まで放送されているのかを示す放送履歴情報も管理している。放送履歴情報とは、例えば、現時点でシリーズ番組の１話〜４話まで放送済みといったような情報である。このように先行配信通知要否判定部１３９は、放送履歴情報を含む放送スケジュールを放送スケジュール管理部１１７から取得する。
【００４２】
（４−４）録画番組情報の取得
次に、先行配信通知要否判定部１３９が録画されているシリーズ番組の情報を取得する処理について説明する。録画番組に関する情報は、録画記憶部１２２に録画された番組とともに記録されている。先行配信通知する対象は、シリーズ番組としているので、録画された複数の番組情報からシリーズ番組の情報だけを取得する。録画記憶部１２２に録画されている番組がシリーズ番組であるか否かを判定するのはシリーズ番組判定部１３８であり、シリーズ番組判定部１３８は、録画番組がシリーズ番組ならその録画番組のシリーズ値とシナリオ値を先行配信制御部１３６に出力する。録画番組のシリーズ値とシナリオ値から、シリーズ番組の何話が録画されていて視聴可能なのかということがわかる。そして、先行配信通知要否判定部１３９は、この録画番組に関する情報を先行配信制御部１３６から取得する。
【００４３】
（４−５）録画番組の視聴履歴の取得
次に、先行配信通知要否判定部１３９が録画されているシリーズ番組の視聴履歴を取得する処理について説明する。本実施形態では、再生制御部１２３が録画番組の視聴履歴を管理できる構成とした。録画番組を再生すると、再生制御部１２３は、録画番組の視聴履歴を録画番組視聴履歴記憶部１５２に書き込む。例えば、シリーズ番組の３話が録画してあって、この３話を視聴したら、視聴した３話のシリーズ値とシナリオ値を録画番組視聴履歴記憶部１５２に書き込む。先行配信通知要否判定部１３９は、書き込まれた録画番組の視聴履歴を録画番組視聴履歴記憶部１５２から読み込み取得する。
【００４４】
（４−６）先行配信通知の要否判定
上述した、（４−２）〜（４−５）の処理により取得した、先行配信情報、放送スケジュール、録画番組情報、録画番組の視聴履歴に基づいて、先行配信通知要否判定部１３９は、先行配信番組の通知の要否を判定する。先行配信番組の通知の要否判定方法については、後ほど詳しく述べる。
【００４５】
（４−７）先行配信番組の通知
最後に、先行配信番組の通知処理について説明する。先行配信番組を通知すると判定したら、先行配信通知要否判定部１３９は、先行配信通知処理部１３４に先行配信番組の通知処理命令を出す。通知処理命令を受けた先行配信通知処理部１３４は、先行配信検出部１３５から先行配信番組の内容情報を取得して、グラフィックス処理部１１６に先行配信番組の情報を表示するように描画命令を出す。
図３は、本発明の第１実施形態における先行配信番組通知の画面表示の一例を示した図である。
グラフィックス処理部１１６は、描画命令に従って例えば、図３に示すような画面３００に先行配信番組の通知ダイアログ３１０を描画する。通知ダイアログ３１０には、視聴者が通知ダイアログ３１０による問いかけに回答するときに選択するボタン３１１，３１２が設けられている。通知ダイアログ３１０のような提示をすることによって、先行配信番組の存在を視聴者に知らせることができる。視聴者は「はい」のボタン３１１を選択して決定することで先行配信番組を視聴することができる。以上が、先行配信番組の通知処理である。
【００４６】
（先行配信通知の要否判定処理）
ここで、（４−４）先行配信通知の要否判定において後述するとした先行配信番組の通知の要否判定方法について説明する。
本実施形態の先行配信番組の通知の要否判定方法は、先行配信番組より前の話数に未視聴番組があるか否かを判定して、未視聴番組がなければ先行配信番組を視聴者に通知し、未視聴番組があれば通知しない。先行配信番組を通知しなかったら、検出した先行配信番組の情報は保持しておき、通知の対象としているシリーズ番組の全ての未視聴コンテンツを視聴し終わったタイミングで先行配信番組を視聴者に通知する。
【００４７】
図４は、本発明の第１実施形態における先行配信番組通知と時間の流れを示す図である。
図５は、本発明の第１実施形態における先行配信番組通知制御のフローチャートを示した図である。
以下、図４及び図５を用いて先行配信番組の通知方法を詳しく説明する。
【００４８】
（前提条件）
はじめに前提条件として、録画記憶部１２２には、ドラマ１話〜４話が録画されているものとする。さらに、録画したドラマ１話〜４話は、視聴済みであり、視聴履歴としてドラマ１話〜４話のシリーズ値とシナリオ値が録画番組視聴履歴記憶部１５２に書き込まれているとする。
【００４９】
ステップ（以下、Ｓとする）１１０１では、上述の前提条件のもと、図４の（Ｔ４０１）に示すタイミングで視聴者があるシリーズ番組のドラマ「古代遺跡」の５話と６話を録画予約したとする。
【００５０】
Ｓ１１０２では、録画予約したら、シリーズ番組判定部１３８は、録画予約した放送番組がシリーズ番組かどうかを判定する。録画予約する放送番組ドラマ「古代遺跡」は、シリーズ番組であるためここではＳ１１０３に進む。一方、シリーズ番組でない場合は、先行配信番組の通知要否判定処理を終了する。
【００５１】
Ｓ１１０３では、シリーズ番組の先行配信番組の通知設定をする。録画制御部１２１は、シリーズ番組であると判定された放送番組のシリーズ値を、先行配信設定部１３７に記憶する。本実施形態における説明として、シリーズ値は１６進数で示される８桁の数値、シナリオ値は１６進数で示される４桁の数値とした。ここでドラマ５話のシリーズ値は、０ｘ２５００００３４、シナリオ値は、０ｘ０００５であるとする。したがって、録画制御部１２１は、ドラマ「古代遺跡」のシリーズ値０ｘ２５００００３４を先行配信設定部１３７に記憶する。このようにして、ドラマ「古代遺跡」の先行配信番組の通知を設定する。
【００５２】
Ｓ１１０４では、先行配信番組の通知設定をしたら、先行配信検出部１３５は、通知設定したシリーズ値に基づいて、インターネット上のＶＯＤサーバ１２００にドラマ「古代遺跡」に関連する先行配信番組が存在しているか否かを問い合わせる。
【００５３】
しかし、ドラマ５話、６話の録画予約をした時点（Ｔ４０１）では、ドラマ「古代遺跡」に関連する先行配信番組がＶＯＤサーバ１２００に存在しないため、先行配信番組を検出できない。したがって、Ｓ１１１３に進む。先行配信番組が検出できなければ、先行配信番組を検出するか、シリーズ番組の放送が終了するまで定期的にＶＯＤサーバ１２００に問い合わせる。先行配信番組が検出されたらＳ１１０５に進む。
【００５４】
一方、先行配信番組を検出したら、その先行配信番組を通知するべきか否かを判定する。図４において、先行配信番組の通知要否を判定するタイミングは、先行配信番組６話を検出したとき（Ｔ４０３）、先行配信番組７話を検出したとき（Ｔ４０５）である。また、視聴者が未視聴のシリーズ番組を視聴する度、すなわち、録画番組５話を視聴し終わったとき（Ｔ４０６）、録画番組６話を視聴し終わったとき（Ｔ４０７）にも先行配信番組を通知するべきか否かを判定する。それぞれのタイミングにおける先行配信通知要否判定部１３９の通知判定処理について説明する。
【００５５】
（Ｔ４０３における先行配信番組６話の通知判定処理）
まず、Ｔ４０３における先行配信番組６話の通知判定処理について説明する。
先ほど録画予約したドラマ５話の録画が完了して（Ｔ４０２）、しばらくした後、先行配信番組６話を検出したとする（Ｔ４０３）。先行配信番組６話は、ドラマ５話の次の話数に相当する先行配信番組である。先行配信番組６話を検出したので、Ｓ１１０５に進む。
【００５６】
Ｓ１１０５では、先行配信番組を検出したら、先行配信通知要否判定部１３９は、先行配信番組６話の情報をＶＯＤサーバ１２００から取得する。
図６は、本発明の第１実施形態における先行配信番組情報の例を示す図である。
ＶＯＤサーバ１２００から取得した後先行配信番組６話の情報８１０は、先行配信番組の番組名８０１、その番組の話数８０２、先行配信番組の前の話数に相当する放送番組名８０３、その放送番組のシリーズ値８０４、その放送番組の話数８０５、その放送番組のシナリオ値８０６を有している。
ここで、先行配信番組６話の情報は、先行配信番組６話が参照しているドラマ５話のシリーズ値０ｘ２５００００３４、シナリオ値０ｘ０００５である。
【００５７】
Ｓ１１０６では、先行配信通知要否判定部１３９は、録画番組の情報を取得する。先行配信通知要否判定部１３９は、先行配信制御部１３６を介してシリーズ番組判定部１３８から、シリーズ値０ｘ２５００００３４に基づくドラマの録画番組のシナリオ値を取得する。（Ｔ４０３）の時点では、１話〜５話が録画済みであるので、先行配信通知要否判定部１３９は、１話〜５話のシナリオ値０ｘ０００１〜０ｘ０００５を、先行配信制御部１３６から取得する。
【００５８】
Ｓ１１０７では、先行配信通知要否判定部１３９は、録画番組の視聴履歴を録画番組視聴履歴記憶部１５２から取得する。録画番組の視聴履歴には、録画して視聴したシリーズ値とシナリオ値が含まれており、録画番組視聴履歴記憶部１５２から取得する。Ｓ１１０６において取得した録画番組の情報と、その視聴履歴を合わせて録画番組の視聴履歴情報を作成する。
図７は、本発明の実施形態における録画番組の視聴者視聴履歴の一例を示した図である。
第１実施形態の視聴者視聴履歴は、録画されている番組のタイトル名７０１、録画番組のシリーズ値７０２、録画番組の話数７０３、話数を示すシナリオ値７０４、録画番組の視聴履歴７０５を有している。
（Ｔ４０３）の時点では、録画済みのドラマ１話〜５話の内、１話〜４話が視聴済みであるので、先行配信通知要否判定部１３９は、１話〜４話のシナリオ値０ｘ０００１〜０ｘ０００４を取得する。
【００５９】
Ｓ１１０８では、先行配信通知要否判定部１３９は、放送スケジュール管理部１１７が管理する放送スケジュールに基づいて、（Ｔ４０３）の時点での最新の話数を取得する。
図８は、本発明の第１実施形態における放送スケジュール情報の例を示す図である。
この例では、放送スケジュールの情報は、シリーズ番組名９０１、シリーズ番組のシリーズ値９０２、シリーズ番組の話数９０３、シリーズ番組の話数を示すシナリオ値９０４、シリーズ番組が既に放送されたものか否かを示す情報９０５を有している。
放送スケジュールから５話が最新であるので、先行配信通知要否判定部１３９は、放送スケジュール管理部１１７から５話のシナリオ値０ｘ０００５を取得する。
【００６０】
Ｓ１１０９では、最後に、先行配信通知要否判定部１３９は、先行配信番組の情報、録画済みの番組情報、最新の放送番組の話数、視聴者の視聴履歴の情報に基づいて、先行配信通知するか否かの判定をする。先行配信通知するか否かの判定をするためには、まず、通知しようとする先行配信番組が放送スケジュールと比較して放送番組よりも先行しているか否かを判定する。
【００６１】
例えば、検出した先行配信番組６話と放送スケジュールから得られる最新の放送番組の話数を比較すると、Ｓ１１０８で取得したシナリオ値０ｘ０００５から５話が最新の放送番組であることがわかる。これにより、先行配信通知要否判定部１３９は、先行配信番組が最新の放送番組よりも先行していると判定する。したがって、Ｓ１１１０に進む。
【００６２】
Ｓ１１１０では、先行配信番組が放送番組よりも先行していると判定されているので、先行配信通知要否判定部１３９は、先行配信番組の話数よりも前に未視聴の番組が存在するか否かを判定して、未視聴番組がなければ、Ｓ１１１１に進み先行配信番組を通知する。Ｓ１１０７で取得したシナリオ値０ｘ０００１〜０ｘ０００４と、Ｓ１１０８で取得したシナリオ値０ｘ０００５から1話〜４話が視聴済みで、５話が未視聴ということがわかる。したがって、先行配信番組６話よりも前に未視聴の番組があるとみなし、先行配信通知要否判定部１３９は、先行配信番組の通知をしないと判定する。通知しないと判定したので、Ｓ１１１２に進む。
【００６３】
Ｓ１１１２では、先行配信番組の通知をしないと判定したら、先行配信通知要否判定部１３９は、先行配信番組の情報を先行配信情報記憶部１４０に記憶して一旦、通知判定処理を終了する。
ここまでが、（Ｔ４０３）において先行配信番組６話を検出したときの処理となる。
【００６４】
（Ｔ４０５における先行配信番組７話の通知判定処理）
次に、Ｔ４０５における先行配信番組７話の通知判定処理について説明する。
ドラマ６話を録画した後（Ｔ４０４）に、ドラマの先行配信番組７話を検出した（Ｔ４０５）ときも（Ｔ４０３）のときと同様の処理判定になる。（Ｔ４０５）において、ドラマ１話〜６話は録画済みであるが、５話、６話ともに未視聴であるため、先行配信通知要否判定部１３９は、先行配信番組７話を通知しないと判定する。Ｓ１１０９の判定処理では、先行配信番組７話が、最新の放送番組６話よりも先行していると判定する。しかし、Ｓ１１１０の判定処理では、先行配信番組７話よりも前に未視聴の番組５話、６話が存在するため先行配信番組７話を通知しないと判定する。よって、先行配信番組７話を通知しないと判定し、一旦、通知判定処理を終了する。
【００６５】
（Ｔ４０６における先行配信番組６話の通知判定処理）
以下、Ｔ４０６における先行配信番組６話の通知判定処理について説明する。
録画した５話を視聴したとき（Ｔ４０６）の先行配信番組６話の通知判定処理は、先行配信番組６話が放送スケジュールと比較して先行していないため、先行配信番組を通知しないと判定する。最新の放送番組は６話であり、さらに６話を録画しているため、Ｓ１１０９の判定処理において先行配信通知要否判定部１３９は、先行配信番組６話を放送スケジュールと比較して先行していないと判定する。先行していないと判定した後、（Ｓ１１１３）に進んで先行配信番組６話の通知判定処理を終了する。
【００６６】
（Ｔ４０６における先行配信番組７話の通知判定処理）
以下、Ｔ４０６における先行配信番組７話の通知判定処理について説明する。
録画した５話を視聴したとき（Ｔ４０６）の先行配信番組７話の通知判定処理についても、６話が未視聴であるため、先行配信番組を通知しないと判定する。先行配信番組７話は、放送スケジュールよりも先行しているため、Ｓ１１０９の判定処理において先行配信通知要否判定部１３９は先行配信番組７話が最新の放送番組よりも先行していると判定する。しかし、Ｓ１１１０の判定処理では、先行配信番組７話よりも前に６話の未視聴番組が存在するので、先行配信通知要否判定部１３９は、先行配信番組を通知しないと判定する。したがって、Ｓ１１１２に進んで先行配信番組７話の通知判定処理を一旦処理を終了する。
【００６７】
（Ｔ４０７における先行配信番組７話の通知判定処理）
次に、録画番組６話を視聴し終わったタイミング（Ｔ４０７）における先行配信番組７話の通知判定処理ついて説明する。
Ｓ１１１０では、録画した６話を視聴し終わったとき（Ｔ４０７）、６話が最新の放送番組であり、かつ１話〜６話まで視聴済みである。さらに、放送番組７話はまだ未放送であり、かつ７話よりも前に未視聴番組が存在しないため、先行配信通知要否判定部１３９は先行配信番組を通知すると判定する。Ｓ１１０９の判定処理において、先行配信通知要否判定部１３９は、先行配信番組７話は最新の放送番組よりも先行していると判定する。次に、Ｓ１１１０の判定処理において、１話〜６話まで視聴済みであり先行配信番組７話よりも前に未視聴番組が存在しないため、先行配信通知要否判定部１３９は、先行配信番組７話を通知すると判定する。
【００６８】
次に、先行配信番組を通知すると判定したときの通知処理について説明する。
Ｓ１１１１で、先行配信番組７話を通知すると判定したら、先行配信通知要否判定部１３９は、先行配信情報記憶部１４０から先行配信番組７話の情報を読み込み、先行配信通知処理部１３４に読み込んだ情報を出力する。先行配信通知処理部１３４は、先行配信番組の情報に基づいてグラフィックス処理部１１６に描画命令を出し、図３のような画面を表示する。画面には、先行配信番組７話を通知する通知ダイアログ３１０を表示して、先行配信番組７話の存在を視聴者に通知する。視聴者は、通知ダイアログ３１０の「はい」ボタン３１１を選択することで先行配信番組７話を視聴することができる。先行配信番組を視聴したくない場合は、「いいえ」ボタン３１２を選択することで放送画面に戻る。視聴者が先行配信番組７話の視聴を選択したら、先行配信通知処理部１３４は、ＶＯＤ再生制御部１３３に対して先行配信番組７話の再生命令を出す。ＶＯＤ再生制御部１３３は、再生命令に従ってＶＯＤサーバ１２００から先行配信番組７話の映像データをネットワーク通信制御部１３１、ストリーミング制御部１３２で受信するように制御して、先行配信番組７話の映像をディスプレイ１１５に表示する。
【００６９】
Ｓ１１１３では、先行配信番組７話を通知したら、先行配信通知要否判定部１３９は、シリーズ番組の放送が全て終了しているかいないかの判定をする。全て終了していないなら、Ｓ１１０４に進み新しい先行配信番組が存在しないかＶＯＤサーバ１２００に問い合わせる。シリーズ番組の放送が全て終了したのであれば、終了したシリーズ番組に該当するＳ１１０３において設定したシリーズ値の設定を解除して先行配信番組の通知処理を終了する。
【００７０】
図９は、本発明の第１実施形態における画面遷移を示した図である。
先行配信番組６話、７話を検出したときには画面に何も通知の表示はなく（画面５０１）、録画した５話を視聴して（画面５０２）、さらに６話を視聴した（画面５０３）後に、先行配信番組の通知ダイアログ３００が画面上に表示される（画面５０４）。
【００７１】
図１０は、本発明の第１実施形態における番組視聴中に先行配信番組を検出したときを示す図である。
図１０のようにドラマ４話を視聴済み（Ｔ６０１）で、ドラマ５話をリアルタイムで視聴しているときに先行配信番組６話を検出した場合は、５話の視聴が終わったタイミングで先行配信番組を通知する。５話を視聴中に（Ｔ６０２）、先行配信番組６話を検出したとする場合（Ｔ６０３）、（Ｔ６０４）のタイミングにおいては、５話が最新の話数であり、かつ５話が視聴済みであるので先行配信番組を通知する。
以上が、本実施形態における先行配信番組の通知方法となる。
【００７２】
なお、先行配信番組の通知設定を視聴者にまかせてもよい。本実施形態では、録画する放送番組がシリーズ番組かどうか判定して、自動的に先行配信番組の通知を設定した。
図１１は、本発明の第１実施形態における先行配信番組の通知設定画面の変形例を示す図である。
例えば、５話の録画予約時に、図１０に示す画面２０００のように録画する放送番組のタイトル名、録画日時、先行配信番組の通知設定のダイアログ（２００１）を表示してもよい。このダイアログ２００１には、ＯＫボタン２００２、キャンセルボタン２００３、先行配信番組通知を有効又は無効とする設定を変更するボタン２００４とが設けられている。このように、視聴者の好みに応じて先行配信番組通知の設定を有効または無効に切り替えられるようにしてもよい。
【００７３】
第１実施形態によれば、視聴者の視聴状況に合わせた先行配信番組の通知が行える。よって、シリーズ番組の順番と、実際に視聴者が視聴する順番と、先行配信番組の通知の順番との関係に不整合が生じることなく、視聴者に先行配信番組を通知することができる。
【００７４】
（第２実施形態）
第２実施形態は、先行配信番組の情報がＶＯＤサーバ１２００からＰＵＳＨ方式で送られてくる場合の実施形態である。本実施形態でいうＰＵＳＨ方式とは、ＶＯＤサーバ１２００が、ネットワーク上にある特定の複数のデジタル放送受信装置１００に対して、同時に同じ先行配信番組の情報を送信する方式である。
【００７５】
一方、先に説明した第１実施形態では、先行配信検出部１３５がネットワーク上のＶＯＤサーバ１２００に対してシリーズ値に関連する先行配信番組がないか問い合わせるようにした。これを、ＰＵＬＬ方式と定義する。ＰＵＬＬ方式の場合、ＶＯＤサーバ１２００は、特定の1台のデジタル放送受信装置１００に対して、要求されたデータを送信する方式である。
【００７６】
図１２は、本発明の第２実施形態におけるＰＵＳＨ方式と、第１実施形態におけるＰＵＬＬ方式との違いを示した図である。図１２（ａ）は、ＰＵＳＨ方式を示し、図１２（ａ）は、ＰＵＬＬ方式を示している。なお、図１２では、情報の流れを分かりやすく示すためにインターネットを省略して示している。
ＰＵＳＨ方式の先行配信情報１２０１は、全て同じデータがＶＯＤサーバ１２００からデジタル放送受信装置１００へ送られる。
一方、ＰＵＬＬ方式では、ＶＯＤサーバ１２００とデジタル放送受信装置１００とが１対１で個別に通信する。したがって、あるデジタル放送受信装置１００に対応する先行配信情報１２０２と、他のデジタル放送受信装置１００に対応する先行配信情報１２０３とでは、その内容は異なる。
ＰＵＳＨ方式の第２実施形態では、ＶＯＤサーバ１２００から一方的に通知される先行配信番組の情報を、ネットワーク通信制御部１３１が受信して、先行配信検出部１３５が先行配信番組の情報の中から先行配信通知に必要な情報のみを抽出して先行配信制御部１３６に出力する。
このようにして取得した先行配信番組の情報に基づいて、通知処理部１３４は、先行配信番組を通知する。
【００７７】
第２実施形態によれば、先行配信番組が視聴可能になったタイミングでＶＯＤサーバ１２００から先行配信番組の情報が一方的に通知されるような先行配信サービスが運用された場合にでも対応できる。
【００７８】
（第３実施形態）
第３実施形態は、第１実施形態で説明した録画したシリーズ番組の視聴履歴に加えて、シリーズ番組を放送で視聴したときの視聴履歴も考慮して先行配信番組の通知要否を判定する実施形態である。
図１３は、本発明の第３実施形態におけるデジタル放送受信装置の概略構成ブロック図である。
【００７９】
（第３実施形態の構成）
第３実施形態のデジタル放送受信装置１３００は、デジタル放送受信装置１００の処理ブロックに、放送視聴履歴記憶部１５３を追加した他は、第１実施形態と同様な形態をしている。よって、前述した第１実施形態と同様の機能を果たす部分には、同一の符号を付して、重複する説明を適宜省略する。
放送視聴履歴記憶部１５３は、録画番組視聴履歴記憶部１５２と同じように、リアルタイムで放送番組を視聴したかどうかの視聴履歴を記憶する放送視聴履歴記憶手段である。すなわち、録画番組視聴履歴記憶部１５２は録画した番組の視聴履歴が記憶されているのに対して、放送視聴履歴記憶部１５３はリアルタイムで放送番組を視聴したかどうかの視聴履歴が記憶されている。
第３実施形態の視聴者視聴履歴管理部１５１は、録画番組視聴履歴記憶部１５２の視聴履歴に加えて、放送視聴履歴記憶部１５３の視聴履歴を参照するとともに、これらを統合して管理する処理ブロックである。
【００８０】
（放送視聴履歴の保持）
放送視聴履歴記憶部１５３に放送番組の視聴履歴を書き込む処理について説明する。まず、先行配信設定部１３７は自身に設定されているシリーズ値を、復調処理部１１２に出力する。復調処理部１１２は、チューナ１１１を介して番組を選局する際に、選局する番組が先行配信設定部１３７から受取ったシリーズ値に該当する番組かどうか判定する。該当する番組であれば、選局状態から視聴者が放送番組を視聴したかどうか判定して、復調処理部１１２は、視聴したとみなしたら視聴した番組のシナリオ値を、放送視聴履歴記憶部１５３に書き込む。
【００８１】
放送番組を視聴したかどうかの判定方法については、様々な公知の手法を用いることができる。例えば、ある番組の放送時間が１９：００〜２０：００だとした場合、番組の放送時間の８割以上、つまり４８分以上その番組のチャネルを選局していたら視聴したとみなす。
【００８２】
（先行配信番組の通知判定）
次に、録画番組の視聴履歴とリアルタイム放送の視聴履歴に基づいて、先行配信番組の通知要否を判定する処理について説明する。第３実施形態が第１実施形態と比較して異なる点は、先行配信通知要否判定部１３９の先行配信番組の通知の判定方法である。第１実施形態では、先行配信通知要否判定部１３９が、通知する先行配信番組の情報、放送スケジュールの情報、視聴者の視聴履歴に基づいて先行配信番組の通知要否を判定する際に、録画した番組の視聴履歴のみを参照した。しかし、第３実施形態では、録画した番組の視聴履歴とリアルタイムで放送番組を視聴したときの視聴履歴を参照する。
【００８３】
視聴履歴は、視聴者視聴履歴管理部１５１から取得する。視聴者視聴履歴管理部１５１は、録画番組視聴履歴記憶部１５２と放送視聴履歴記憶部１５３に接続されており、録画番組の視聴履歴とリアルタイム放送の視聴履歴を合わせた視聴履歴を管理している。
【００８４】
図１４は、本発明の第３実施形態における視聴者視聴履歴の一例を示した図である。
第３実施形態の視聴者視聴履歴は、先行配信番組の通知設定してあるシリーズ番組名１４０１、そのシリーズ番組のシリーズ値１４０２、シリーズ番組における話数１４０３、その話数のシナリオ値１４０４、視聴履歴１４０５を有している。
ドラマ「古代遺跡」の視聴履歴に着目して図１４を参照すると、録画番組視聴履歴記憶部１５２に書き込まれている録画番組の視聴履歴の情報はシリーズ値０ｘ２５００００３４とそのシリーズのシナリオ値０ｘ０００２である。一方、放送視聴履歴記憶部１５３に書き込まれているリアルタイム放送の視聴履歴の情報は、シリーズ値０ｘ２５００００３４とそのシリーズのシナリオ値番号０ｘ０００１、０ｘ０００３、０ｘ０００４である。
【００８５】
これらの情報から、ドラマ「古代遺跡」の１話〜４話まで放送済みであることがわかる。先行配信番組５話を検出したときの先行配信番組の通知要否の判定は、２話が録画で視聴済み、１話、３話、４話ともに放送で視聴済みであることから、Ｓ１１１０の判定処理において先行配信番組５話よりも前の番組１話〜４話に未視聴番組が存在しないので先行配信番組５話を通知すると判定する。
以上が第３実施形態における先行配信番組の通知要否判定である。
【００８６】
本実施形態によれば、シリーズ番組を録画していないが、視聴予約などで番組をリアルタイム視聴していたケースの視聴履歴も考慮して、先行配信番組を通知することができる。また、録画機能を備えていない装置であっても、視聴者の視聴状況に合わせて適切なタイミングで先行配信番組を通知することができる。
【００８７】
（第４実施形態）
第４実施形態は、第３実施形態で説明した録画したシリーズ番組の視聴履歴とリアルタイム放送の視聴履歴に加えて、シリーズ番組をＶＯＤで視聴したときの視聴履歴も考慮して先行配信番組の通知要否を判定する実施形態である。
図１５は、本発明の第４実施形態におけるデジタル放送受信装置の概略構成ブロック図である。
【００８８】
（第４実施形態の構成）
第４実施形態のデジタル放送受信装置１５００は、第３実施形態のデジタル放送受信装置１３００の処理ブロックに、ＶＯＤ再生履歴記憶部１５４を追加した他は、第３実施形態と同様な形態をしている。よって、前述した第３実施形態と同様の機能を果たす部分には、同一の符号を付して、重複する説明を適宜省略する。
ＶＯＤ再生履歴記憶部１５４は、録画番組視聴履歴記憶部１５２と放送視聴履歴記憶部１５３と同じように、ＶＯＤでシリーズ番組を視聴したかどうかの視聴履歴を記憶する配信視聴履歴記憶手段である。すなわち、第３実施形態で述べたように、録画番組視聴履歴記憶部１５２には、録画番組の視聴履歴が記憶され、放送視聴履歴記憶部１５３にはリアルタイム放送の視聴履歴が記憶されている。さらに、ＶＯＤ再生履歴記憶部１５４には、ＶＯＤでシリーズ番組を視聴したかどうかの視聴履歴が記憶されている。
【００８９】
（ＶＯＤ視聴履歴の保持）
ＶＯＤ再生履歴記憶部１５４にＶＯＤの視聴履歴を書き込む処理について説明する。まず、先行配信設定部１３７は、自身に設定されているシリーズ値を、ＶＯＤ再生制御部１３３に出力する。ＶＯＤ再生制御部１３３は、インターネットを介してＶＯＤコンテンツを再生する際に、再生するＶＯＤコンテンツが、先行配信設定部１３７から受取ったシリーズ値に該当する番組かどうか判定する。該当する番組であれば、視聴者がＶＯＤコンテンツを視聴したかどうか判定して、ＶＯＤコンテンツを視聴したとみなしたら、ＶＯＤ再生制御部１３３は、その視聴した番組のシナリオ値をＶＯＤ再生履歴記憶部１５４に書き込む。
第３実施形態と同様に放送番組を視聴したかどうかの判定方法については、様々な公知の手法を用いることができる。例えば、ＶＯＤサーバ１２００が管理しているＶＯＤコンテンツの購入履歴と視聴履歴や再生のリジューム情報に基づいて、視聴したか判定する方法がある。
【００９０】
（先行配信番組の通知判定）
次に、録画番組の視聴履歴とリアルタイム放送の視聴履歴とＶＯＤの視聴履歴に基づいて、先行配信番組の通知要否を判定する処理について説明する。第４実施形態が第３実施形態と比較して異なる点は、ＶＯＤ再生履歴記憶部１５４を追加した点であり、ＶＯＤ再生履歴記憶部１５４は、視聴者視聴履歴管理部１５１に接続されている。視聴者視聴履歴管理部１５１は、録画番組の視聴履歴とリアルタイム放送の視聴履歴に加えて、さらにＶＯＤの視聴履歴を合わせた視聴履歴を管理している。
【００９１】
図１６は、本発明の第４実施形態における視聴者視聴履歴の一例を示した図である。
第４実施形態の視聴者視聴履歴は、先行配信番組の通知設定してあるシリーズ番組名１６０１、そのシリーズ番組のシリーズ値１６０２、シリーズ番組における話数１６０３、その話数のシナリオ値１６０４、視聴履歴１６０５を有している。
ドラマ「古代遺跡」の視聴履歴に着目して図１６を参照すると、録画番組視聴履歴記憶部１５２に書き込まれている録画番組の視聴履歴の情報はシリーズ値０ｘ２５００００３４とそのシリーズのシナリオ値０ｘ０００２である。放送視聴履歴記憶部１５３に書き込まれているリアルタイム放送の視聴履歴の情報は、シリーズ値０ｘ２５００００３４とそのシリーズのシナリオ値番号０ｘ０００４である。そして、ＶＯＤ再生履歴記憶部１５４に書き込まれているＶＯＤの視聴履歴の情報はシリーズ値０ｘ２５００００３４とそのシリーズのシナリオ値０ｘ０００１、０ｘ０００３である。
【００９２】
これらの情報から、ドラマ「古代遺跡」の１話〜４話まで放送済みであることがわかる。先行配信番組５話を検出したときの先行配信番組の通知要否の判定は、２話が録画で視聴済み、４話が放送で視聴済み、１話と３話がＶＯＤで視聴済みであることから、Ｓ１１１０の処理において先行配信番組５話よりも前の番組１話〜４話に未視聴番組が存在しないので先行配信番組を通知すると判定する。
以上が第４実施形態における先行配信番組の通知要否判定である。
【００９３】
なお、第４実施形態では、録画したシリーズ番組の視聴履歴とリアルタイム放送の視聴履歴とＶＯＤの視聴履歴との３つの視聴履歴に基づいて先行配信番組の通知要否を判定した。しかし、これら３つの視聴履歴の組み合わせに制限があるわけではない。例えば、録画したシリーズ番組の視聴履歴とＶＯＤの視聴履歴のみを先行配信番組の通知要否を判定する情報としてもよい。
【００９４】
第４実施形態によれば、ＶＯＤでの視聴状況も考慮した先行配信番組の通知が可能になる。例えば、視聴者が放送番組を録画せずＶＯＤのみでシリーズ番組を視聴していたとしても、視聴者の視聴状況に合わせて適切なタイミングで先行配信番組を通知することができる。
【００９５】
（変形形態）
以上説明した実施形態に限定されることなく、種々の変形や変更が可能であって、それらも本発明の範囲内である。
【００９６】
（１）各実施形態において、先行配信が行われることを視聴者に通知する場合を例に挙げて説明したが、これに限らず、例えば、放送後に配信が開始される場合に本発明を適用してもよい。放送後に配信が開始される場合であっても、通知を行うことは視聴者にとって有益な情報である。また、視聴者の視聴履歴によって放送後に配信が開始される通知を行うか否かを判断することにより、無駄な通知を防止し、視聴者にとって有益となる適切なタイミングで通知を行える。
【００９７】
（２）また、第３実施形態及び第４実施形態において、録画番組視聴履歴記憶部１５２を備えたデジタル放送受信装置（１３００，１５００）を例に挙げて説明した。しかし、これに限らず、例えば、録画制御部１２１及び録画記憶部１２２を持たず、それ故録画番組視聴履歴記憶部１５２を備えないデジタル放送受信装置としてもよい。
【００９８】
（３）各実施形態において、デジタル放送受信装置に各機能ブロック部（視聴者視聴履歴管理部１５１、録画番組視聴履歴記憶部１５２、先行配信通知要否判定部１３９等）が構成されている形態を例に挙げて説明した。しかし、これに限らず、例えば、これら各機能ブロックが行う動作と同様な工程を有したシリーズ番組の配信通知方法としてもよい。この方法を具体的に実施するためには、各機能ブロックが行う動作と同様な工程を実行可能なコンピュータプログラムをコンピュータに実行させるとよい。
【００９９】
なお、第１実施形態〜第４実施形態及び変形形態は、適宜組み合わせて用いることもできるが、詳細な説明は省略する。また、本発明は以上説明した各実施形態によって限定されることはない。
【図面の簡単な説明】
【０１００】
【図１】本発明による放送受信装置を用いた先行配信システムの第１実施形態を示す図である。
【図２】本発明の第１実施形態におけるデジタル放送受信装置１００の概略構成を示すブロック図である。
【図３】本発明の第１実施形態における先行配信番組通知の画面表示の一例を示した図である。
【図４】本発明の第１実施形態における先行配信番組通知と時間の流れを示す図である。
【図５】本発明の第１実施形態における先行配信番組通知制御のフローチャートを示した図である。
【図６】本発明の第１実施形態における先行配信番組情報の例を示す図である。
【図７】本発明の実施形態における録画番組の視聴者視聴履歴の一例を示した図である。
【図８】本発明の第１実施形態における放送スケジュール情報の例を示す図である。
【図９】本発明の第１実施形態における画面遷移を示した図である。
【図１０】本発明の第１実施形態における番組視聴中に先行配信番組を検出したときを示す図である。
【図１１】本発明の第１実施形態における先行配信番組の通知設定画面の変形例を示す図である。
【図１２】本発明の第２実施形態におけるＰＵＳＨ方式と、第１実施形態におけるＰＵＬＬ方式との違いを示した図である。
【図１３】本発明の第３実施形態におけるデジタル放送受信装置の概略構成ブロック図である。
【図１４】本発明の第３実施形態における視聴者視聴履歴の一例を示した図である。
【図１５】本発明の第４実施形態におけるデジタル放送受信装置の概略構成ブロック図である。
【図１６】本発明の第４実施形態における視聴者視聴履歴の一例を示した図である。
【図１７】視聴者があるシリーズ番組を録画、視聴したときの時間の流れを示した図である。
【符号の説明】
【０１０１】
１００，１３００，１５００    デジタル放送受信装置
１１１    チューナ
１１２    復調処理部
１１３    デコード処理部
１１４    表示装置制御部
１１５    ディスプレイ
１１６    グラフィックス処理部
１１７    放送スケジュール管理部
１２１    録画制御部
１２２    録画記憶部
１２３    再生制御部
１３１    ネットワーク通信制御部
１３２    ストリーミング制御部
１３３    ＶＯＤ再生制御部
１３４    先行配信通知処理部
１３５    先行配信検出部
１３６    先行配信制御部
１３７    先行配信設定部
１３８    シリーズ番組判定部
１３９    先行配信通知要否判定部
１４０    先行配信情報記憶部
１５１    視聴者視聴履歴管理部
１５２    録画番組視聴履歴記憶部
１５３    放送視聴履歴記憶部
１５４    ＶＯＤ再生履歴記憶部
１０００  放送システム
１２００  ＶＯＤサーバ
【図１】
2010056595.tif 000003
【図２】
2010056595.tif 000004
【図３】
2010056595.tif 000005
【図４】
2010056595.tif 000006
【図５】
2010056595.tif 000007
【図６】
2010056595.tif 000008
【図７】
2010056595.tif 000009
【図８】
2010056595.tif 000010
【図９】
2010056595.tif 000011
【図１０】
2010056595.tif 000012
【図１１】
2010056595.tif 000013
【図１２】
2010056595.tif 000014
【図１３】
2010056595.tif 000015
【図１４】
2010056595.tif 000016
【図１５】
2010056595.tif 000017
【図１６】
2010056595.tif 000018
【図１７】
2010056595.tif 000019